(57)【要約】【課題】  カスタマイズ及び共有ができるＵＩ（ユーザ・インターフェース）を提供する。【解決手段】  本発明のＵＩによれば、該ＵＩの属性及びレイアウトをカスタマイズすることができる。ユーザは複数の「ＵＩセット」を生成することができ、該「ＵＩセット」はタブを含んでもよく、該タブの各々は様々な方法で示されるＵＩエレメントを含んでもよい。ユーザはＵＩセット及びタブに名称を付すことができ、複数のプリンタ・タイプにわたってカスタム・コンフィギュレーションが作動することができるように、サポートされる属性のスーパーセットから任意の属性を選択することができる。複数のセッションにわたって維持されるように、ＵＩセットはユーザのローカル・ディスクのファイルに記憶される。システム・アドミニストレータは該ＵＩセットを生成し、全てのユーザに配布することができる。【選択図】  図１
2004192641.tif 000002
【特許請求の範囲】
【請求項１】
少なくとも１のユーザ・インターフェース・エレメントと、
少なくとも１の予め指定されたユーザ・インターフェースのコンビネーションを含む少なくとも１のカスタム・ユーザ・インターフェース・セットと、
ユーザにより選択的に変更することができる前記少なくとも１のカスタム・ユーザ・インターフェース・セットの少なくとも１の少なくとも部分と、
カスタム・ユーザ・インターフェース・セットの部分とされるように、前記少なくとも１のユーザ・インターフェース・エレメントをユーザが選択的に指定するために使用されるエレメント指定手段を含む、コンフィギュレーション設定手段と、
を含むカスタム可能ユーザ・インターフェース。
【請求項２】
全ての利用可能エレメントが指定されているカスタム・ユーザ・インターフェース・セットをさらに含む、請求項１に記載のカスタム可能ユーザ・インターフェース。
【請求項３】
コア・エレメントが指定されているカスタム・ユーザ・インターフェース・セットをさらに含む、請求項１に記載のカスタム可能ユーザ・インターフェース。
【請求項４】
マーキング・マシンのユーザ・インターフェース、及び、マーキング・マシン・ドライバ・ソフトウェアのユーザ・インターフェースの少なくとも一方として実装される、請求項１に記載のカスタム可能ユーザ・インターフェース。
【請求項５】
前記コンフィギュレーション設定手段は、ユーザが前記カスタム・ユーザ・インターフェース・セットのレイアウトを選択的に割り当てるために使用することができるレイアウト・ツールをさらに含む、請求項１に記載のカスタム可能ユーザ・インターフェース。
【請求項６】
前記ユーザは指定エレメント各々の位置を指定することができる、請求項５に記載のカスタム可能ユーザ・インターフェース。
【発明の詳細な説明】
【技術分野】
【０００１】
本発明は、ＵＩ（ユーザ・インターフェース）のパーソナライズ及び／又はカスタマイズに係り、詳細には、マーキング・マシン及び多機能マシンのＵＩの操作（パーソナライズ及び／又はカスタマイズなど）に関する。
【背景技術】
【０００２】
ＵＩコンテンツ及びレイアウトの動的な生成の使用において、ユーザは該ユーザ特定のネットワーク印刷環境に関連するものだけを示されていた。ユーザには、情報が示される方法を変更することができなかった。ＰＳＧ機能セットは大きく、複雑なので、カスタマの中には、該カスタマが最もよく使用する機能に適する特定のＵＩを要求した者もいた。個別のカスタマの特定のＵＩを開発することは、コスト効率がよくない。提供されるソリューションにより、ユーザはどの機能をＵＩ上に示すかを制御することができる。このソリューションにより、Ｘｅｒｏｘがカスタマ各々の異なるソリューションを構築する代わりに、ユーザがカスタムＵＩを構築することができる。
【発明の開示】
【発明が解決しようとする課題】
【０００３】
カスタムＵＩにより、ユーザはどの機能をＵＩ上に示すか、該機能をどのように示すか、を制御することができる。１のユーザは、特定のプリンタで使用するため、特定のジョブのため、若しくは、レスポンス・タイムを短縮し、必要とされるもの（機能）だけを示す単純化のため、などに、多くの異なるカスタムＵＩを開発することができた。ユーザは、これらのＵＩを生成し、カスタマイズするために多くの時間を費やしたが、他のユーザと当該ＵＩを共有することはできなかった。他のユーザは、当該ＵＩを取得するために、最初に当該ＵＩを生成したユーザと同量の作業を行わなければならなかった。
【０００４】
また、システム・アドミニストレータは、あるユーザの属性をある属性だけに特定することを所望するかもしれない。しかし、システム・アドミニストレータは、そのようなセット・アップをするために、（当該ユーザの）クライアント・ワークステーションまで（実際に）行って、カスタムＵＩを変更しなければならなかった。
【課題を解決するための手段】
【０００５】
本発明によれば、ＵＩの何れの属性を示すか、及び、該属性をどのようにグループ化するか、をユーザはカスタマイズすることができる。本発明によれば、複数の「ＵＩ」を生成することができ、該ＵＩの各々は任意の数のタブを有し、該タブの各々は３の方法の何れか１により示される任意の数の属性を有する。ユーザが所望する場合には、「ＵＩ」及びタブに名称を付すことができる。複数のプリンタ・タイプにわたって作業するカスタム・コンフィギュレーションを作成するために、ユーザはサポートされる属性のスーパーセットから任意の属性を選択することができる。ユーザのＵＩには現在接続されているプリンタによりサポートされている属性だけが示される。したがって、ユーザは無効なオプションを見なくてよい。この情報はユーザのローカル・ディスクのファイルに記憶される。したがって、複数のセッションにわたって該情報を使用することができる。該情報は、システム・アドミニストレータにより生成され、すべてのユーザにより使用されることができる。
【０００６】
本発明は、管理及び共有を拡張するカスタムＵＩ発明の方法である。本発明は、予め生成され、（ユーザが特定する場所にある）ファイルに一部又は全部がエクスポートされる、他のユーザと共有するためのカスタムＵＩを１のユーザが使用する方法を提供する。他のユーザは該ファイルを受信し、任意の場所に配置する。該他のユーザはカスタムＵＩを介して該ファイルをインポートすることができる。該カスタムＵＩは、オリジナル・ユーザがエクスポートした全てのＵＩをインポートし、該ＵＩを現存するユーザのカスタムＵＩとマージする。現存するＵＩとインポートされたＵＩとが同様の名称を有する場合には、ユーザは維持する一方（のＵＩ）を選択することができる。
【０００７】
本発明の第１の態様のカスタム可能ＵＩは、少なくとも１のＵＩエレメントと、少なくとも１の予め指定されたＵＩのコンビネーションを含む少なくとも１のカスタムＵＩセットと、ユーザにより選択的に変更することができる前記少なくとも１のカスタムＵＩセットの少なくとも１の少なくとも部分と、カスタムＵＩセットの部分とされるように、前記少なくとも１のＵＩエレメントをユーザが選択的に指定するために使用されるエレメント指定手段を含む、コンフィギュレーション設定手段と、を含む。
【０００８】
本発明の第２の態様は、第１の態様のカスタム可能ＵＩであって、全ての利用可能エレメントが指定されているカスタムＵＩセットをさらに含む。
【０００９】
本発明の第３の態様は、第１の態様のカスタム可能ＵＩであって、コア・エレメントが指定されているカスタムＵＩセットをさらに含む。
【００１０】
本発明の第４の態様は、第１の態様のカスタム可能ＵＩであって、マーキング・マシンのＵＩ、及び、マーキング・マシン・ドライバ・ソフトウェアのＵＩの少なくとも一方として実装される。
【００１１】
本発明の第５の態様は、第１の態様のカスタム可能ＵＩであって、前記コンフィギュレーション設定手段は、ユーザが前記カスタムＵＩセットのレイアウトを選択的に割り当てるために使用することができるレイアウト・ツールをさらに含む。
【００１２】
本発明の第６の態様は、第５の態様のカスタム可能ＵＩであって、前記ユーザは指定エレメント各々の位置を指定することができる。
【発明の効果】
【００１３】
本発明のＵＩは、少なくとも１のＵＩエレメントと、少なくとも１の予め指定されたＵＩのコンビネーションを含む少なくとも１のカスタムＵＩセットと、ユーザにより選択的に変更することができる前記少なくとも１のカスタムＵＩセットの少なくとも１の少なくとも部分と、カスタムＵＩセットの部分とされるように、前記少なくとも１のＵＩエレメントをユーザが選択的に指定するために使用されるエレメント指定手段を含む、コンフィギュレーション設定手段と、を含む。これにより、ユーザ又はアドミニストレータはＵＩをカスタマイズでき、共有することができる。
【発明を実施するための最良の形態】
【００１４】
本発明の概略を理解するために図面を参照する。図面において同様の参照符号は同様の要素を示す。
【００１５】
本実施形態は、ユーザが選択することができるＵＩエレメントのセットを含む。本実施形態では、当該ユーザ及び他のユーザによる将来的な利用のために、該セットを保存することができる。さらに、他のマシンのユーザとＵＩセットを共有することができるように、本実施形態は、ＵＩセットをインポート及びエクスポートすることができる。本実施形態では、言語コモン・セットを使用するので、他のＵＩカスタマイズ・アプリケーションはＵＩセットを読むことができ、他のＵＩカスタマイズ・アプリケーションからＵＩセットをインポートすることができる。本実施形態では、ＵＩセットを様々なフォーマットでエクスポートすることができる。該フォーマットは、他のＵＩカスタマイズ・アプリケーションが理解することができるフォーマットを含む。
【００１６】
図１に、本実施形態のＵＩコンフィギュレーション（設定手段）１を概略的に示す。該ＵＩコンフィギュレーション（設定手段）１は、ＵＩセット・リスト及び選択領域１１０を含む。該ＵＩセット・リスト及び選択領域１１０には、１以上の予め設定されているＵＩセット１１１及び任意のユーザ生成セット１１２をリストすることができる。本実施形態では、デフォルトのＵＩセット１１１は全ての機能を含むことができ、該ＵＩセットを編集若しくは削除することはできない。これにより、ベースラインＵＩセットを常にユーザ・サポートに使用することができる。ＵＩセット・リスト及び選択領域１１０はＵＩエレメント１１３〜１１７をさらに含んでもよい。該ＵＩエレメント１１３〜１１７により、ＵＩセットの追加、名称変更、コピー、削除、及び／又は、変更を行うことができる。本実施形態のＵＩコンフィギュレーション（設定手段）１は、レイアウト領域１２０を含んでもよい。該レイアウト領域１２０において、ＵＩエレメントのレイアウト１２１を選択することができる。ＵＩコンフィギュレーション（設定手段）１を終了(dismissal)することができるように、「閉じる」エレメント１０を含んでもよい。
【００１７】
図２に、本実施形態のセット変更（手段）２を示す。該セット変更（手段）は、「タブ」・リスト領域２１０及び機能リスト領域２２０を含んでもよい。タブ・リスト領域２１０はＵＩセット１１１、１１２に含まれるべきタブ２１１を示すことができる。さらに、タブ・リスト領域２１０は、ＵＩエレメント２１３〜２１６を含んでもよい。該ＵＩエレメント２１３〜２１６により、タブの追加、名称変更、コピー、及び／又は削除を行うことができる。機能リスト領域２２０はタブ２１１が含む及び／又は含むことができる機能を示す。セット変更（手段）２は、変更を認容するためのＵＩエレメント２０及び変更をキャンセルするためのＵＩエレメント３０を含むことができる。
【００１８】
図３に、（図１とは）別のＵＩコンフィギュレーション（設定手段）３を概略的に示す。該ＵＩコンフィギュレーション（設定手段）３は、ＵＩセット・リスト領域３１０、「インポート」ＵＩエレメント３２０、及び、「エクスポート」ＵＩエレメント３３０を含む。図１のＵＩコンフィギュレーション（設定手段）１と同様に、該ＵＩコンフィギュレーション（設定手段）３はＵＩエレメント３１３〜３１７を含み、該ＵＩエレメント３１３〜３１７はＵＩセット３１１、３１２の追加、名称変更、コピー、削除、及び／又は、変更を行うことができる。本実施形態のＵＩコンフィギュレーション（設定手段）３も、図１のＵＩコンフィギュレーション（設定手段）１のレイアウト領域１２０のようなレイアウト領域を含んでもよい。ＵＩコンフィギュレーション（設定手段）３を終了する(dismissal)ことができるように、「閉じる」エレメント１０を含んでもよい。
【００１９】
選択されたＵＩセット３１１、３１２を含むファイルを所望される場所に保存するために、「エクスポート」ＵＩエレメント３３０を使用することができる。「エクスポート」ＵＩエレメント３３０を（クリックして、エクスポート機能を）呼び出すことにより、例えば、図４に概略的に示されるように、エクスポート・ダイアログ・ボックス４が表示される。該エクスポート・ダイアログ・ボックス４はＵＩセット・リスト領域４１０を含んでもよい。該ＵＩセット・リスト領域４１０には、ＵＩセット４１１、４１２が表示され、該ＵＩセット４１１、４１２を選択することができる。さらに、エクスポート・ダイアログ・ボックス４はキャンセルＵＩエレメント３０及び「次へ」ＵＩエレメント４２０を含んでもよい。「次へ」ＵＩエレメント４２０を（クリックして、「次へ」機能を）呼び出すことにより、図５に概略的に示されるように、「保存」ダイアログ・ボックス５をコールすることができる。
【００２０】
該「保存」ダイアログ・ボックス５は、おおむね、おおよそのＧＵＩコンピュータ・オペレーティング・システムで見られるような、標準的なＧＵＩ「保存」ダイアログ・ボックスであってよい。例えば、「保存」ダイアログ・ボックス５は、ナビゲート・ツール・バー５１０、コンテンツ・リスト領域５２０、ファイル名フィールド５３０、ファイル・タイプ選択ツール５４０、及び、「保存」エレメント４０及び「キャンセル」エレメント３０のようなさらなるＵＩエレメントを含んでもよい。ナビゲート・ツール・バー５１０は、例えば、フォルダ／ディレクトリ選択メニュー５１１、「１つ上のレベルへ」ボタン５１２、「ホーム」ボタン５１３、「新規フォルダ」ボタン５１４、表示オプション・ボタン５１５、５１６を含んでもよい。コンテンツ・リスト領域５２０は、フォルダ／ディレクトリ選択メニュー５１１で選択されたフォルダ／ディレクトリのコンテンツを示すことができ、該コンテンツ・リスト領域５２０は、ファイル及びフォルダ／ディレクトリを含むことができる。コンテンツは、表示オプション・ボタン５１５、５１６、及び、ファイル・タイプ選択ツール５４０（の設定）にしたがい表示されることができる。ユーザが所望される場所にナビゲートされた場合、該ユーザは「保存」ＵＩエレメント４０を（クリックして、「保存」機能を）呼び出すことにより、ファイル名フィールド５３０に指定された所望される名称で、「エクスポート」ダイアログ・ボックス４で選択されたＵＩセットを保存することができる。ＵＩセットのエクスポートを行わないと決定した場合には、ユーザは「キャンセル」ＵＩエレメント３０を（クリックして、「キャンセル」機能を）呼び出すことができる。
【００２１】
本実施形態において、（図３の）「インポート」ＵＩエレメント３２０を（クリックして、「インポート」機能を）呼び出すことにより、図６に示されるように、「開く」ダイアログ・ボックス６をコールすることができる。「保存」ダイアログ・ボックス５と同様に、「開く」ダイアログ・ボックス６は、おおよそのＧＵＩコンピュータ・オペレーティング・システムで見られるような、標準的なＧＵＩ「開く」ダイアログ・ボックスであってよい。例えば、「開く」ダイアログ・ボックス６は、ナビゲート・ツール・バー６１０、コンテンツ・リスト領域６２０、ファイル名フィールド６３０、ファイル・タイプ選択ツール６４０、及び、「開く」エレメント５０及び「キャンセル」エレメント３０のようなさらなるＵＩエレメントを含んでもよい。ナビゲート・ツール・バー６１０は、例えば、フォルダ／ディレクトリ選択メニュー６１１、「１つ上のレベルへ」ボタン６１２、「ホーム」ボタン６１３、「新規フォルダ」ボタン６１４、表示オプション・ボタン６１５、６１６を含んでもよい。コンテンツ・リスト領域６２０は、フォルダ／ディレクトリ選択メニュー６１１で選択されたフォルダ／ディレクトリのコンテンツを示すことができ、該コンテンツ・リスト領域６２０は、ファイル及びフォルダ／ディレクトリを含むことができる。コンテンツは、表示オプション・ボタン６１５、６１６、及び、ファイル・タイプ選択ツール６４０（の設定）にしたがい表示されることができる。ユーザが所望される場所にナビゲートされた場合、該ユーザは「開く」ＵＩエレメント５０を（クリックして、「開く」機能を）呼び出すことにより、ファイル名フィールド６３０に指定された所望される名称を有する、コンテンツ・リスト領域６２０で選択された所望されるＵＩセットを開くことができる。ＵＩセットのインポートを行わないと決定した場合には、ユーザは「キャンセル」ＵＩエレメント３０を（クリックして、「キャンセル」機能を）呼び出すことができる。
【００２２】
図７に示されるように、ユーザが既に存在する名称を有するＵＩセットを開こうとした場合、若しくは、既に存在する名称でＵＩセットを保存しようとした場合、警告ダイアログ・ボックス７を表示することができる。警告ダイアログ・ボックス７は、「はい」ＵＩエレメント６０及び「いいえ」ＵＩエレメント７０などの、現存するＵＩセットのオーバーライト（書き替え）を確認する、及び／又は、拒絶するＵＩエレメントを含むことができる。
【００２３】
このように、本実施形態において、ユーザはＵＩのコンテンツ及びレイアウトをカスタマイズすることができる。例えば、以下のような１以上のアクションを用いることができる。
●新規ＵＩセットを追加し、該ＵＩセットに名称を付す。
●該ＵＩセットに新規タブを追加し、該タブに名称を付す。
●各タブに（ある順序で）追加するために、全ての利用可能な属性の中から、属性を選択する。
●並列、二列、単列のような、ＵＩに適用するレイアウト・スキームの何れかを選択する。該レイアウト・スキームは選択された属性がＵＩの各タブにどのように示されるかを制御する。
【００２４】
したがって、本実施形態で、ユーザはＵＩセットを生成することができ、該ＵＩセットの中に含まれる情報を失うことなく、任意の時点で該ＵＩセットを表示しないようにすることを選択することができる。さらに、本実施形態は、任意の現存するＵＩセット若しくはタブの名称変更、コピー、削除を行うシンプルな方法を提供する。
【００２５】
ＵＩ機能のベースライン・セットは特定のＵＩによりサポートされるおおむねの機能のスーパーセットであってよい。特殊頁（カバー、頁挿入、例外頁、章開始）機能、ＰＤＬタイプ、及び、プリント／保存オプションが、該スーパーセットに含まれないことが好ましい。ユーザがＵＩの１のリリースであるカスタムＵＩを生成し、該ＵＩの次のリリースが新規な機能をサポートする場合、本実施形態は、ユーザのカスタマイズを損なわず、（ユーザが既に有する機能の順序に干渉しないように、）現存するタブの機能リストの底部に、更新された機能をユーザが見ることができるようにする。任意の新規に生成されたタブにおいて、アルファベット順のリストで、機能は既存の機能に統合されてもよい。何らかの理由で、１のリリースから次のリリースにおいて機能を削除する場合、現存タブの全てから該機能を自動的に削除してもよい。
【００２６】
システムがログイン機能をサポートしている場合、一般のユーザに対して表示する機能（ＵＩセット生成若しくはＵＩセット削除のためのアクセスの制限、若しくは、ＵＩをカスタマイズするためのアクセスの制限など）を、アドミニストレータに対して表示する機能と異ならせることができる。アドミニストレータはデフォルトＵＩを「隠す」ことができ、インストール手続を介してアドミニストレータのデフォルトＵＩを供給することができる。本実施形態では、メーカ配布(manufacturer-distributed)ＵＩを使用する必要を低減させるように、ＰＤＬタイプ・プリント／保存オプション及び／又は特殊頁タブをカスタムＵＩセットに付加することができる。さらに、本実施形態は何れのオプションが特殊頁タブで利用可能であるかを制限する方法を提供する。
【００２７】
すなわち、本実施形態は、少なくとも１のＵＩエレメント及びコンフィギュレーション（設定手段）を含むカスタマイズＵＩを提供する。例えば、マーキング・マシンのＵＩとして、該ＵＩを使用してもよい。また、マーキング・マシン・ドライバ・ソフトウェアのＵＩとして、該ＵＩを実装してもよい。
【００２８】
コンフィギュレーション（設定手段）は、エレメント指定（手段）を含んでもよい。エレメント指定カスタムＵＩセットの一部とするように、ユーザは該エレメント指定（手段）で選択的にＵＩエレメントを指定することができる。少なくとも１の予め指定されたＵＩエレメントのコンビネーションを含む、１以上のカスタムＵＩセットが、ベースラインＵＩセットを提供するために含まれてもよい。ユーザは、該ベースラインＵＩセットから、（設定を）開始することができる。例えば、含まれるベースラインＵＩセットの１は、全ての利用可能な指定されるエレメントを有してもよく、及び／又は、ＵＩセットの１は指定されるコア・エレメントだけを有してもよい。本実施形態では、ユーザはカスタムＵＩセットの少なくとも一部を変更することができる。
【００２９】
本実施形態では、コンフィギュレーション（設定手段）は、レイアウト・ツールをさらに含む。ユーザは、該レイアウト・ツールを用いて、カスタムＵＩセットのレイアウトを選択的に割り当てることができる。例えば、レイアウト・ツールはエレメントを並列して提示するオプションを含んでもよく、及び／又は、レイアウト・ツールはエレメントを少なくとも単列で提示するオプションを含んでもよい。さらに、包括的な実施形態では、ユーザは指定されたエレメント各々の位置を特定することができる。
【００３０】
マーキング・マシンのＵＩのコンフィギュレーションを設定するために利用可能であるソフトウェア・アプリケーションは、エレメント指定（手段）及びエレメント・レイアウト・ツールを含んでもよい。コンフィギュレーションの設定がされるマーキング・マシンのＵＩは、該マーキング・マシンに備えられていてもよく、該マーキング・マシン以外のデバイスに備えられている該マーキング・マシンのドライバであってもよい。本実施形態のソフトウェア・アプリケーションは、ＵＩのプレファレンス(preference)若しくはセット・ファイルを操作してもよい。カスタムＵＩセットを指定することは、予め設定されているセットを選択すること、セットの一部として１以上のＵＩエレメントを指定することはできないこと、新規なセットは、「名前を付けて保存(Save As…)」、「エクスポート」、「複製(Duplicate)」コマンドなどにより、生成されることを示すこと、などを含んでもよい。特定された位置で、ユーザにより指定された少なくとも１のＵＩエレメントを提示するために、ＵＩデータ・ファイルを操作してもよい。本実施形態では、カスタムＵＩセットをＵＩデータ・ファイルに記憶してもよく、該ＵＩデータ・ファイルとは別個のプレファレンス・ファイルに記憶してもよい。
【００３１】
例えば、本実施形態はＧＵＩ(graphical user interface)に適用されてもよい。インポート及びエクスポート・ボタンが、アクセスを容易にするために、カスタムＵＩウィンドウにおいて利用可能である。エクスポートにおいて、エクスポートを所望する現存するＵＩの何れかをユーザは選択することができる。エクスポートされたＵＩを何れかに記憶することができ、該ＵＩは「ｘｕｉ」拡張子のような識別ラベルを有することができる。ユーザが次回エクスポートを所望する際に、エクスポート機能が前回の場所にデフォルトでアクセスするように、該ユーザが該セットを保存する場所を保存する。インポートするために、ユーザは所望するＵＩセットをブラウズし、該ＵＩセットを選択することができる。本実施形態において、ユーザが次回インポートを所望する際に、インポート機能がデフォルトで前回の場所にアクセスするように、該ユーザが該セットをロードするディレクトリが保存される。ユーザがすでにインポートするのと同一の名称を有するカスタムＵＩを有していた場合、該ユーザは何れ（のＵＩ）を維持するかを選択することができる。
【００３２】
カスタムＵＩの共有だけでなく、インポート及びエクスポートは、「システム・アドミニストレータ」に全てのユーザのＵＩを管理する方法を提供する。アドミニストレータは、異なる目的のために任意の数のカスタムＵＩを生成することができ、ある個人に何れのＵＩをエクスポートするか選択することができる。アドミニストレータは、所望するならば、"Team UIs（チームＵＩ）"、"Special users UIs（特殊ユーザＵＩ）"、"Joe's UIs（ジョーのＵＩ）"のような名称を（ＵＩに）付すことさえできる。
【００３３】
セキュリティ・モデルである場合、あるユーザだけがカスタムＵＩを生成、若しくは、変更することができ、ユーザの全てが該ＵＩをインポートすることができるように、（本発明を）拡張することができる。この場合、アドミニストレータはエクスポートするカスタムＵＩファイルを各々（のユーザ）に提供することにより、どの属性が各々のユーザにより特定されることができるかを制御することができる。ジョブ設定や管理(administration)のような、ある「ゼロックス提供」パスウェイ(pathway)を見ることも含んでもよい。システム・アドミニストレータは、ユーザがこれらのパスウェイの何れかを見るべきか、若しくは、該アドミニストレータがユーザに生成するものだけを見るべきか、を指示してもよい。これによれば、あるユーザは他のユーザのジョブを見ることができない、若しくは、ジョブで常にある属性を送る、というような、より高度なセキュリティが可能となる。
【００３４】
以上、特定の実施形態を記述したが、出願人及び当業者は、ここに示されていない（上記以外の）代替、変更、変形、改良、及び、実質的同一のものに想到することができるかも知れない。しかしながら、特許請求の範囲は、これら全ての代替、変更、変形、改良、及び、実質的同一のものを含むことを意図する。
【図面の簡単な説明】
【００３５】
【図１】本発明の実施形態によるＵＩセット・コンフィギュレーション（設定手段）の略図である。
【図２】本発明の実施形態によるＵＩセット変更（手段）の略図である。
【図３】本発明の実施形態によるＵＩセット・コンフィギュレーション（設定手段）の略図である。
【図４】本発明の実施形態によるＵＩエクスポート・インターフェースの略図である。
【図５】本発明の実施形態による「保存」ダイアログ・ボックスの略図である。
【図６】本発明の実施形態による「開く」ダイアログ・ボックスの略図である。
【図７】本発明の実施形態による図６のＵＩインポート・インターフェースの警告ダイアログ・ボックスの略図である。
【符号の説明】
【００３６】
１      ＵＩコンフィギュレーション（設定手段）
１１０  ＵＩセット・リスト及び選択領域
１２０  レイアウト領域
【図１】
2004192641.tif 000003
【図２】
2004192641.tif 000004
【図３】
2004192641.tif 000005
【図４】
2004192641.tif 000006
【図５】
2004192641.tif 000007
【図６】
2004192641.tif 000008
【図７】
2004192641.tif 000009